(57)【要約】【課題】ディスクドライブ装置において光ディスクの排出を外部から強制的に操作できる機能を備え、且つ、その操作によってもディスクドライブ装置に装填された光ディスクに記録している情報が破壊されることのない構成を提供する。【解決手段】光ディスクＤを装填してドライブし、この光ディスクＤによる情報の記録又は再生を可能とするようにしたディスクドライブ装置１において、手動イジェクト禁止手段４１を装着し、ヘッドユニットＢの光ピックアップ１２を備えたキャリアブロック１３が光ディスクＤの外周側の移動端側に移動し、コーナ部１３Ａによる被駆動部４３に対する押圧がなされているときを除いて、光ディスクＤを排出しようとする認識の有無に拘わらず、エマージェンシーピンＰを通孔３ｃに差し込んでも、光ディスクＤを排出することはできないようにした。【選択図】図１２
2005166165.tif 000002
【特許請求の範囲】
【請求項１】
記録媒体を挿入／排出するための記録媒体出入口と、記録媒体出入口から挿入された記録媒体を支持し、記録媒体に対する情報の記録及び／又は記録媒体の記録情報の読み出しを行う記録媒体装着部と、スイッチ動作に対応して電気的駆動手段が動作し、前記記録媒体装着部に装着された記録媒体を前記記録媒体出入口から自動的に排出する自動イジェクト機構と、電気的駆動手段を備えず、前記記録媒体装着部に装着された記録媒体を手動操作されて前記記録媒体出入口から排出する手動イジェクト機構を筐体に備えた記録媒体ドライブ装置において、前記記録媒体装着部が所定の状態にあるときに前記手動イジェクト機構の動作を不能とする手動イジェクト禁止手段が設けられたことを特徴とする記録媒体ドライブ装置。
【請求項２】
記録媒体がディスク状記録媒体であり、前記記録媒体装着部は記録媒体を支持して回転する記録媒体支持手段と、前記記録媒体支持手段に支持された記録媒体の半径方向に移動可能に設けられて、記録媒体に対する情報の記録及び／又は記録媒体の記録情報の読み出しを行うヘッド手段とを備え、前記手動イジェクト禁止手段は前記ヘッド手段が記録媒体の外周側の移動端に位置しているときに前記手動イジェクト機構の動作を許容し、前記ヘッド手段が記録媒体の外周側の移動端に位置していないときに前記手動イジェクト機構の動作を不能とすることを特徴とする請求項１記載の記録媒体ドライブ装置。
【請求項３】
前記手動イジェクト禁止手段は、前記ヘッド手段が記録媒体の外周側の移動端に位置しないときには前記ヘッド手段により押圧駆動されず、前記ヘッド手段が記録媒体の外周側の移動端に移動したときに前記ヘッド手段により押圧駆動される被駆動部と、前記被駆動部が前記ヘッド手段に押圧駆動されたときに前記手動イジェクト機構の動作を許容し、前記被駆動部が前記ヘッド手段に押圧駆動されていないときに前記手動イジェクト機構の動作を不能とする禁止部とを備えていることを特徴とする請求項２記載の記録媒体ドライブ装置。
【請求項４】
記録媒体の外周側の移動端に移動した前記ヘッド手段により前記被駆動部が押圧駆動されていないときに、前記禁止部が前記手動イジェクト機構の可動部と前記筐体との間に介在して前記可動部の前記筐体方向への動きを阻止して前記手動イジェクト機構の動作を禁止し、記録媒体の外周側の移動端に位置しない前記ヘッド手段により前記被駆動部が押圧駆動されたときに、前記禁止部が前記可動部と前記筐体との間から外れて前記可動部の前記筐体方向への動きを許容し、前記手動イジェクト機構が動作することを特徴とする請求項３記載の記録媒体ドライブ装置。
【発明の詳細な説明】
【技術分野】
【０００１】
本発明は、各種コンピュータシステムなどにおいて大量の情報を記録することが可能な光ディスク（例えば、ＣＤ−Ｒ／ＲＷ，ＤＶＤ−Ｒ／一ＲＷ／ＲＡＭ／十Ｒ／十ＲＷなど）などを記録媒体として使用する記録媒体ドライブ装置に関する。
【背景技術】
【０００２】
一般に、パーソナルコンピュータ（以下、パソコンという）は、大容量の情報を処理するためにも、大容量の記録が可能な記録媒体の光ディスクをドライブし得る記録媒体ドライブ装置の装着を欠かすことができず、パソコン本体に内蔵するか、外付けと称されるケーブル接続でパソコン本体に接続されて、使用されるようになっている。
【０００３】
図１７は、この種の記録媒体ドライブ装置を内蔵したノート型パソコンの外観を示すもので、このタイプのディスク型記録媒体ドライブ装置（以下、単にディスクドライブ装置と呼ぶ。）１０１は、通常はパソコン本体の側部に内蔵され、スイッチ操作あるいはパソコン本体からの指令によりディスクトレイ１０２のベゼル１０３がポップアウトし、さらにパソコン使用者がディスクトレイ１０２を引き出し、光ディスクＤを装填するようになっている。
【０００４】
図１８は、このような従来のディスクドライブ装置１０１の外観を示すもので、図１９は、このディスクドライブ装置１０１のディスクトレイ１０２の内部の構成を示したものである。ディスクトレイ１０２は光ディスクＤを収容するため浅皿状に形成されており、その中央に、直下に配したスピンドルモータ１０４の駆動軸に固定されたターンテーブル１０５が配置され、このターンテーブル１０５のクランプヘッド１０６で光ディスクの中心孔をクランプし、回転力を伝達するようにしている。
【０００５】
符号１０７はヘッドユニットであり、ディスクトレイ１０２の裏面に構成された駆動機構１０８により全体がディスクトレイ１０２の直径方向に往復動し、そのビームレンズ１０７ａから光ディスクにレーザビームが照射される。また、ディスクトレイ１０２の前端には外装を整えるためのベゼル１０３が装着されており、ディスクトレイ１０２のロード状態を解除するための押釦１０９ならびにインジケータ窓１１０が表面に臨み、ディスクトレイ１０２のロック状態を強制的に解除するために、エマージェンシーピンＰを差し込むための通孔１０３ａが形成されている。
【０００６】
このように構成されたディスクトレイ１０２は、その両側がガイドレール１１１により遊嵌状態に支持されており、このガイドレール１１１はシャーシケース１１２に固定された支持レールにスライド可能に支持されている。これにより、ディスクトレイ１０２はシャーシケース１１２内で前進後退し、ロード／アンロードが可能となる。
【０００７】
また、ディスクトレイ１０２がロードされ、シャーシケース１１２内の定位置で停止したとき、この状態の維持、即ち、ディスクトレイ１０２をロックする一方、このロック状態の解除、即ち、ディスクトレイ１０２をイジェクトするイジェクト／ロック機構１１３を備える。このイジェクト／ロック機構１１３によるディスクトレイ１０２のロックは、ロックレバー１１４とシャーシケース１１２に固定されたロックピン１１５との係合によりなされるが、このロック状態を解除するイジェクトは、通常の動作においては、自己保持型ソレノイド１１６を駆動して行うようになっている（例えば、特許文献１）。
【０００８】
【特許文献１】特願２００２−９７０７６
【発明の開示】
【発明が解決しようとする課題】
【０００９】
このように構成されたディスクドライブ装置１０１がパソコン本体に内蔵されている場合、そのディスクトレイ１０２をアンロードするためには、上述したようにパソコンからの指示又は使用者による押釦１０９の操作により、イジェクト／ロック機構１１３を作動し、ロック状態の解除、即ち、イジェクトするようにしている。
【００１０】
ところが、パソコンの希な故障状態として、光ディスクをディスクドライブ装置に装填して起動したとき、パソコンが光ディスクを認識せずシステムを稼働することがある。このような状態になると使用者の押釦の操作によってもディスクトレイをアンロードさせることができず、ディスクトレイに装填した光ディスクを回収することができなくなる。また、このような不具合はディスクトレイに実装した機構系の故障によっても発生するものであり、このような緊急事態（エマージェンシー）に対応するための配慮がなされている。
【００１１】
これは、上述したようなディスクトレイのロック状態を外部から強制的に解除するようにするもので、図１９に示すように、ベゼル１０３に形成した通孔１０３ａからエマージェンシーピンＰを差し込み、ロックレバー１１４を反転させ、ロックピン１１５との係合を解除する。
【００１２】
このような外部からの強制的な操作により異常状態を回避する機能は、この種のディスクドライブ装置には必ず備えておかなければならないものである。ところが、このような非常時に対応する操作において、光ディスクをドライブしているモードが記録されている情報の再生時の場合は、その記録情報を破壊する可能性はないが、情報の記録しているときには、情報の記録の未了、あるいは記録情報の破壊という危険に繋がることとなる。
【００１３】
しかし、上記特許文献１に開示されたイジェクト／ロック機構は、ピン操作により簡単に作動するため、前記したような危険を常に内在しており、例えばパソコン操作の未熟、又は認識の乏しい使用者などが錯誤により、イジェクト／ロック機構を操作してしまう可能性があるため、このような危険を未然に回避できるようにする必要がある。
【００１４】
そこで本発明は、ディスクドライブ装置において光ディスクの排出を外部から強制的に操作できる機能を備え、且つ、その操作によってもディスクドライブ装置に装填された光ディスクに記録している情報が破壊されることのない構成を提供するものである。
【課題を解決するための手段】
【００１５】
本発明は、記録媒体を挿入／排出するための記録媒体出入口と、記録媒体出入口から挿入された記録媒体を支持し、記録媒体に対する情報の記録及び／又は記録媒体の記録情報の読み出しを行う記録媒体装着部と、スイッチ動作に対応して電気的駆動手段が動作し、前記記録媒体装着部に装着された記録媒体を前記記録媒体出入口から自動的に排出する自動イジェクト機構と、電気的駆動手段を備えず、前記記録媒体装着部に装着された記録媒体を手動操作されて前記記録媒体出入口から排出する手動イジェクト機構とを筐体に備えた記録媒体ドライブ装置において、前記記録媒体装着部が所定の状態にあるときに前記手動イジェクト機構の動作を不能とする手動イジェクト禁止手段を設けることを主要な特徴とするものである。
【発明の効果】
【００１６】
本発明の記録媒体ドライブ装置においては、記録媒体装着部が所定の状態にあるときに手動イジェクト機構の動作を不能とする手動イジェクト禁止手段を備えているので、手動イジェクトするときのタイミングを制限することができる。このため、記録媒体への情報記録時に記録媒体がイジェクトされて、情報の記録に失敗することがないようにすることが可能であり、これにより、信頼度の高い記録媒体ドライブ装置の提供が可能になる。
【発明を実施するための最良の形態】
【００１７】
記録媒体を挿入／排出するための記録媒体出入口と、記録媒体出入口から挿入された記録媒体を支持し、記録媒体に対する情報の記録及び／又は記録媒体の記録情報の読み出しを行う記録媒体装着部と、スイッチ動作に対応して電気的駆動手段が動作し、記録媒体装着部に装着された記録媒体を記録媒体出入口から自動的に排出する自動イジェクト機構と、電気的駆動手段を備えず、記録媒体装着部に装着された記録媒体を手動操作されて記録媒体出入口から排出する手動イジェクト機構とを筐体に備えた記録媒体ドライブ装置において、記録媒体装着部が所定の状態にあるときに手動イジェクト機構の動作を不能とする手動イジェクト禁止手段を備えるものであり、記録媒体としてディスク状の記録媒体が使用され、記録媒体装着部は記録媒体を支持して回転する記録媒体支持手段と、記録媒体支持手段に支持された記録媒体の半径方向に移動可能に設けられて、記録媒体に対する情報の記録及び／又は記録媒体の記録情報の読み出しを行うヘッド手段とを備え、手動イジェクト禁止手段はヘッド手段が記録媒体の外周側の移動端に位置しているときに手動イジェクト機構の動作を許容し、ヘッド手段が記録媒体の外周側の移動端に位置していないときに手動イジェクト機構の動作を不能とする記録媒体ドライブ装置である。
【００１８】
そして、手動イジェクト禁止手段は、ヘッド手段が記録媒体の外周側の移動端に位置しないときにはヘッド手段により押圧駆動されず、ヘッド手段が記録媒体の外周側の移動端に移動したときにヘッド手段により押圧駆動される被駆動部と、被駆動部がヘッド手段に押圧駆動されたときに手動イジェクト機構の動作を許容し、被駆動部がヘッド手段に押圧駆動されていないときに手動イジェクト機構の動作を不能とする禁止部とを備え、且つ、記録媒体の外周側の移動端に移動したヘッド手段により被駆動部が押圧駆動されたときには、禁止部が手動イジェクト機構の可動部と筐体との間から外れて可動部の筐体方向への動きを許容し、これにより手動イジェクト機構を動作可能にし、記録媒体の外周側の移動端に位置しないヘッド手段により被駆動部が押圧駆動されていないときには、禁止部が可動部と筐体との間に介在して可動部の筐体方向への動きを阻止し、これにより手動イジェクト機構の動作を禁止するように構成した記録媒体ドライブ装置である。
【実施例１】
【００１９】
以下、本発明をスロットイン方式のディスク型記録媒体ドライブ装置に適用した一例を、図に基づいて詳細に説明する。
【００２０】
図１は、本発明により完成したディスクドライブ装置１の外観を示す図であり、筐体としてのシールド状態に構成されたシャーシケース２の前端の開口部にベゼル３が固定されている。このベゼル３には光ディスクＤを挿入するスロット３ａ、およびエマージェンシー解除のための通孔３ｂ・３ｃが形成されている。また、ベゼル３には収容されている光ディスクＤの外部への排出を指示するための押釦４およびディスクドライブ装置１の動作状態を表示するためのインジケータ５を備える。
【００２１】
図２は、このディスクドライブ装置１の天板部分を除去した状態の平面図であり、その斜視図を図３に示す。同図において、シャーシケース２内にはべ一スパネル６が配設されており、その中央から斜め下方への配置状態で光ディスクＤに対する駆動系ユニットＡが設けられている。この駆動系ユニットＡは、光ディスクＤをシャーシケース２ヘロード又はアンロードするとき光ディスクＤの中心孔をクランプ又はクランプを解除するため、垂直方向で僅かに上下動可能となるようにしたフレーム部材８が複数の緩衝支持構造９によりべ一スパネル６に連結されている。
【００２２】
前記フレーム部材８の先端には、ロードして停止した光ディスクの中心に対応する位置にクランプヘッド７が配置される。このクランプヘッド７はターンテーブル１０と一体に構成され、直下に配したスピンドルモータ１１の駆動軸に固定されており、このスピンドルモータ１１によりクランプヘッド７にクランプされた光ディスクＤが回転駆動される。
【００２３】
つぎに、符号Ｂはヘッドユニットであり、光ピックアップ１２を光ディスクＤの直径方向に往復動させるためのキャリアブロック１３に固定されており、このキャリアブロック１３は両側のガイドシャフト１４・１５に支持され、スレッドモータ１６およびギヤユニット（図示省略）により往復動される。
【００２４】
符号１７は光ディスクＤをシャーシケース２外へ送り出すための排出レバーであり、符号１８は進入してきた光ディスクＤをシャーシケース２内へ搬入するための誘引レバーである。この排出レバー１７と誘引レバー１８は、図４に示すリンク機構１９により差動的にその先端１７ａ・１８ａが回動するように構成されており、自動的に光ディスクＤがシャーシケース２内へ搬入されるように構成されている。
【００２５】
即ち、図２に示すように光ディスクＤがベゼル３のスロット３ａから進入してくると、先ず、光ディスクＤの前端部が排出レバー１７の先端１７ａに当接する。そして、さらに光ディスクＤの進入が促進されると排出レバー１７が回動してその先端１７ａが後退するとともに、図４に示すリミットスイッチ２０が作動し、その信号に基づいて、後述する光ディスクＤの搬送機構Ｃが駆動を開始する。
【００２６】
この状態に至ると、搬送機構Ｃの働きにより誘引レバー１８が回動してその先端１８ａが光ディスクＤの後端部に当接し、さらに光ディスクＤをシャーシケース２内へ搬入して行くことになる。そして、図５に示すように、最終的に光ディスクＤの中心孔がクランプヘッド７と一致した位置で停止し、ローディングモータの駆動力によってフレーム部材８が上昇することにより、フレーム部材８に支持されたクランプヘッド７が光ディスクＤの中心孔をクランプする。
【００２７】
一方、このようにしてシャーシケース２内に搬入された光ディスクＤを外部へ排出する場合は、ベゼル３の押釦４を操作するか、パソコンからの指令に基づいて搬入時とは逆の駆動方向に搬送機構Ｃが駆動される。これにより、フレーム８が降下して光ディスクＤのクランプを解除し、排出レバー１７が回動し、その先端１７ａで図４に示す位置まで光ディスクＤを搬出する。
【００２８】
つぎに、上述した自動操作による光ディスクＤの搬入および搬出を司る搬送機構Ｃの構成を説明する。この搬送機構Ｃは、大別してローディングギヤユニットＧ１とラックギヤユニットＧ２の組み合わせにより構成されている。図６と図７は、ローディングギヤユニットＧ１の構成および動作態様を説明するための図である。同図において符号２１は自動操作の動力源となるローディングモータであり、このローディングモータ２１の出力軸にはウォームギヤ２２が同軸で回転するように固定され、このウォームギヤ２２の回転力が、ギヤベース２６に軸支されたダブルギヤ２３・２４・２５へ順次、小径ギヤから大径ギヤへ減速されながら伝達される。なお、ローディングギヤユニットＧ１は、図６（Ｂ）（Ｃ）における図中上側が、シャーシケース２の底板に対向するように装着される。
【００２９】
前記ギヤ構成において、ダブルギヤ２３はウォームギヤ２２との噛合状態を解除するリリース機構を備える。これは、ダブルギヤ２３を保持しつつ上下方向にスライド可能のホルダー２７の端部２７ａが枢支ピン２８に押通され、圧縮コイルバネ２９により下方へ付勢されて軸支されていることにより、定常の状態においては、図６（Ｃ）に示すようにウォームギヤ２２とダブルギヤ２３は正常な噛合状態となる。なお、ホルダー２７のローディングモータ２１側の端部には、ドグヘッド２７ｂが形成されており、ギヤベース２６に固定されたリミットスイッチ３０のノブ３０ａを作動可能となるようにしている。
【００３０】
前記ホルダー２７の端部２７ａの下面には枢支ピン２８と同軸で軸支されたスライダー部材３１が設けられている。このスライダー部材３１の枢支ピン２８に軸支される部分には長溝３１ａが形成されており、ホルダー２７の端部２７ａと直角方向にスライド可能となるようにしている。また、このスライダー部材３１は、前端と後端との問に傾斜面３１ｂが形成されており、スライダー部材３１を前進させたとき、この傾斜面３１ｂがホルダー２７の端部２７ａを底面から押し上げ、ホルダー２７全体が上昇する。
【００３１】
スライダー部材３１の後端には枢支ピン３２に軸支される係上段部３１ｃを備えた長溝３１ｄが形成されており、さらに後端部には封止突起３１ｅを備えた作用片３１ｆが形成されている。一方、スライダー部材３１の前端部にはラックギヤユニットＧ２の動きに基づいて起動されるリセット片３１ｇが形成されている。
【００３２】
このように一体に構成されたスライダー部材３１は、そのフック片３１ｈとギヤベース２６のフック片２６ａとの間に引張コイルバネ３３が傾斜角を備えて張設されおり、スライダー部材３１が常時後退しつつ反時計回り方向に転回するように付勢されている。
【００３３】
以上のようにスライダー部材３１が構成されていることにより、図６に示す定常状態においては、スライダー部材３１は枢支ピン２８を支点としている。この状態において、スライダー部材３１を後端部から押圧して前進させ、枢止ピン３２の位置に長溝３１ｄの係上段部３１ｃが至ると、前記引張コイルバネ３３の張力によりスライダー部材３１が枢止ピン２８を支点にして転回し、図７に示すように係上段部３１ｃと枢止ピン３２が係合してロック状態となり、その姿勢が維持されることになる。
【００３４】
つぎに、ラックギヤユニットＧ２は図８に示すように、ラック主体３４にギヤ列３４ａ・３４ｂが一体に形成されており、前記ギヤ列３４ａはローディングギヤユニットＧ１のダブルギヤ２５の小径ギヤと噛合する。したがって、ローディングモータ２１を駆動することにより、ラック主体３４はシャーシケース２内で前進又は後退することになる。このようにラック主体３４を前進又は後退させることにより、このラック主体３４の先端に連結されているリンク機構１９が駆動して排出レバー１７が回動するとともに、図２に示すようにべ一スパネル６面でラック主体３４に連結されているレバー部材３５により誘引レバー１８が回動されることになる。また、リンク機構１９が駆動すると、これと同期してフレーム部材８が上下動し、クランプヘッド７が光ディスクをクランプ又はクランプ解除する。
【００３５】
このように構成されたラック主体３４上には、このラック主体の先端部で前進後退するギヤ部材３６が遊動状態で配置され、このギヤ部材３６を押圧して前進させるため、前後にブロック３７ａ・３７ｂを備えた押圧ピン３７が配置されている。そして、前記ギヤ列３４ｂとギヤ部材３６を、ギヤフレーム３９に自由回転するように取り付けられていダブルギヤ３８に噛合させて連結されている。この場合、ダブルギヤ３８の大径ギヤ３８ａはギヤ列３４ｂの後端部に噛合し、小径ギヤ３８ｂは前記ブロック３７ｂと一体に成形されたギヤ部材３６の先端部に噛合するようにする。
【００３６】
したがって、抑圧ピン３７を介した外力によりギヤ部材３６が前進すると、ダブルギヤ３８は定位置で回転するため、ギヤ列３４ｂに大径ギヤ３８ａの回転力が伝達し、ラック主体３４が後退する。なお、符号４０は上述したローディングギヤユニットＧ１のスライダー部材３１の前端部に形成されているリセット片３１ｇを押圧する作用片であり、ローディングギヤユニットＧ１が図７に示す状態において、この作用片４０がスライダー部材３１のリセット片３１ｇを押圧すると、枢支ピン３２と係上段部３１ｃとの係合が解除されることから、図６に示す状態に復帰する。
【００３７】
かかる構成において、収容してある光ディスクＤの強制的排出は、前述したように排出レバー１７を回動させることにより行われるが、この排出レバー１７の回動はラック主体３４の後退により実現されるため、ベゼル３の通孔３ｃからエマージェンシーピンＰが差し込める状態でなければならない。
【００３８】
ところが、図９に示すようにローディングギヤユニットＧ１のスライダー部材３１が定常状態の位置にあるときは、その封止突起３１ｅが通孔３ｃを塞いで操作が禁止されている状態にある。したがって、この状態にあるとき、ラック主体３４を操作することはできないので、光ディスクＤを排出しようとする認識の有無にかかわらずエマージェンシーピンＰを差し込んでも、光ディスクＤを排出することができない。
【００３９】
一方、光ディスクＤを排出しようとする明確な認識にもとづく操作の場合は、図１０に示すように、先ず、ベゼル３の通孔３ｂからエマージェンシーピンＰを差し込み、ローディングギヤユニットＧ１のスライダー部材３１を押圧する。これにより、スライダー部材３１が傾倒し、通孔３ｃの封止突起３１ｅによる封止状態が解除される。このとき、スライダー部材３１の傾斜面３１ｂがホルダー２７の端部２７ａを底面から押し上げるため、ウォームギヤ２２とダブルギヤ２３の噛合が解除され、ダブルギヤ２３・２４・２５は自由回転が可能な状態となる。このとき、スピンドルモータ１１が光ディスクを回転駆動している場合は、ホルダー２７のドグヘッド２７ｂが、ノブ３０ａを駆動してリミットスイッチ３０をオンとしたことに応じて、スピンドルモータ１１を停止させる。
【００４０】
このようにして、通孔３ｂからの操作を終了した後、通孔３ｂから引き抜いたエマージェンシーピンＰを通孔３ｃに差し込み、これを押し込むことにより、図１１に示すごとくギヤ部材３６が前進するのに伴いラック主体３４が後退し、これにより、フレーム部材８が降下して光ディスクＤのクランプを解除し、排出レバー１７が回動して光ディスクＤを同図および図４に示すように排出することができる。
【００４１】
さらに、本発明のディスクドライブ装置１においては、図１２、図１３に示したように手動イジェクト禁止手段４１が装着されている。この手動イジェクト禁止手段４１は、図１４に示したように長板状部材からなり、長手方向における中央部分には軸受穴４２が開口し、長手方向の一端の側には被駆動部４３が設けられ、他端の側には禁止部４４が設けられている。また、被駆動部４３の側には弾性部材４５が設けられている。
【００４２】
なお、被駆動部４３は長板状部材のコ字状切込部分の引き起しにより形成され、禁止部４４は長板状部材が門型に屈曲して形成されている。また、弾性部材４５は、被駆動部４３が設けられている側の板状部材と平行に形成された棹状部材の引き起しにより形成され、先端部分にはＶ字状に屈曲形成された当接部４５Ａを備えている。
【００４３】
上記構成の手動イジェクト禁止手段４１は、シャーシケース２の底板に突設された図示しない枢支軸が、長手方向中央部分の軸受穴４２に嵌め込まれて、搬送機構ＣのローディングギヤユニットＧ１の部分に禁止部４４が位置する状態から位置しない状態まで回動し得るように装着されている。
【００４４】
詳細には、手動イジェクト禁止手段４１は、光ディスクＤの外周側の移動端側に移動したキャリアブロック１３のコーナ部１３Ａが被駆動部４３に当接して、当接部４５Ａがシャーシケース２の側壁に当接する向きに手動イジェクト禁止手段４１全体を軸受穴４２の部分を中心に、当接部４５Ａがシャーシケース２の側壁に当接し、さらに弾性部材４５も屈曲してその中間部分がシャーシケース２の側壁に当接するまで回動したときには、他端側の禁止部４４がダブルギヤ２３を保持しているホルダー２７とシャーシケース２の底板との間から抜け出し、キャリアブロック１３が他の部分に移動してコーナ部１３Ａによる被駆動部４３に対する前記押圧がなくなったときには、弾性部材４５に蓄積された弾性力により手動イジェクト禁止手段４１全体が軸受穴４２の部分を中心にして逆方向に回動し、他端側の禁止部４４がホルダー２７とシャーシケース２の底板との間に進入・位置するように装着されている。
【００４５】
したがって、本発明のディスクドライブ装置１においては、キャリアブロック１３が光ディスクＤの外周側の移動端側に移動し、コーナ部１３Ａによる手動イジェクト禁止手段４１の被駆動部４３に対する押圧作用がなされているときを除いて、手動イジェクト禁止手段４１の禁止部４４がダブルギヤ２３のホルダー２７とシャーシケース２の底板との間に進入・位置して、ホルダー２７がシャーシケース２の底板側に移動するのを妨害する。
【００４６】
そのため、エマージェンシーピンＰをベゼル３の通孔３ｂから差し込み、ローディングギヤユニットＧ１のスライダー部材３１を押圧しても、コーナ部１３Ａによる手動イジェクト禁止手段４１の被駆動部４３に対する押圧がなされているときを除いて、ダブルギヤ２３のホルダー２７がシャーシケース２の底板側に移動することはなく、したがってスライダー部材３１は傾倒せず、通孔３ｃの封止突起３１ｅによる封止状態は解除されない。
【００４７】
それゆえ、キャリアブロック１３が光ディスクＤの外周側の移動端側に移動し、コーナ部１３Ａによる手動イジェクト禁止手段４１の被駆動部４３に対する押圧がなされているときを除いて、光ディスクＤを排出しようとする認識の有無に拘わらず、エマージェンシーピンＰを通孔３ｃに差し込んでも、光ディスクＤを排出することはできない。すなわち、情報の読み書きがなされている光ディスクＤが手動イジェクト操作により排出されることはないので、光ディスクＤに記録している情報が破壊されることはない。
【００４８】
また、上記特長を有する本発明のディスクドライブ装置１においては、従来のディスクドライブ装置１０１に比べ、一層の薄型化が可能である。すなわち、図１５に示したように、クランプヘッド７、スピンドルモータ１１、キャリアブロック１３などが装着されたフレーム部材８は、ベゼル側（図面左側）を回動軸として回動し上下動する。
【００４９】
なお、図１５の図（Ａ）はフレーム部材８が上昇した状態（光ディスククランプ状態）、（Ｂ）はフレーム部材８が降下した状態（光ディスク排出状態）を示している。そして、そのフレーム部材８に装着されたスピンドルモータ１１と、キャリアブロック１３とでは、図示したようにキャリアブロック１３の方が下方に大きく突出している。
【００５０】
しかし、本発明のディスクドライブ装置１においては、キャリアブロック１３を最外周側、すなわち図１５（Ｂ）の実線で示す位置にあるときだけ光ディスクＤは排出され、それ以外の場所、例えば一点鎖線で示す位置にあるときには、エマージェンシーピンＰを用いて手動で強制排出しようとしても、手動イジェクト禁止手段４１が機能して光ディスクＤが排出されることはないので、寸法ｄだけ装置を薄くしても手動による強制排出時にキャリアブロック１３がシャーシケース２に衝突して故障する恐れはない。
【００５１】
図１６は、ラックギヤユニットＧ２の作動機構の他の例を示す図であり、抑圧ピン３７の先端をリンク機構４６のリンクアーム４６ａに連結し、このリンクアーム４６ａを押圧して支軸４７を中心に時計方向回りに回転させると、リンクアーム４６ｂが支軸４８を中心に反時計方向回りに回動する。これにより、リンクアーム４１ｂの先端がラック主体３４の端部を押圧するので、該ラック主体３４は前進し、前述の構成と同等の機能を果たすことができる。
【図面の簡単な説明】
【００５２】
【図１】本発明を実施したディスクドライブ装置の外観を示す斜視図である。
【図２】図１のディスクドライブ装置の内部構造を示す平面図である。
【図３】図１のディスクドライブ装置の内部構造を示す斜視図である。
【図４】図１のディスクドライブ装置の底面における内部構造を示す図である。
【図５】図１のディスクドライブ装置の動作状態を説明するための図である。
【図６】ローディングギヤユニットを説明するための図である。
【図７】ローディングギヤユニットの動作状態を説明するための図である。
【図８】ラックギヤユニットの構成を示す斜視図である。
【図９】エマージェンシー操作を説明するための図である。
【図１０】エマージェンシー操作を説明するための図である。
【図１１】エマージェンシー操作を説明するための図である。
【図１２】手動イジェクトが禁止された状態を説明するための図である。
【図１３】手動イジェクトが可能な状態を説明するための図である。
【図１４】手動イジェクト禁止手段を説明するための図である。
【図１５】フレーム部材の動作を説明するための図である。
【図１６】ラックギヤユニットの作動機構の他の例を示す図である。
【図１７】ノート型パソコンの外観を示す斜視図である。
【図１８】従来のディスクドライブ装置の外観を示す斜視図である。
【図１９】従来のディスクドライブ装置の底面における内部構造を示す図である。
【符号の説明】
【００５３】
１  ディスクドライブ装置
２  シャーシケース
３  ベゼル
３ａ  スロット
３ｂ・３ｃ  通孔
４  押釦
５  インジケータ
６  ベースパネル
７  クランプヘッド
８  フレーム部材
９  緩衝支持構造
１０  ターンテーブル
１１  スピンドルモータ
１２  光ピックアップ
１３  キャリアブロック
１３Ａ  コーナ部
１４・１５  ガイドシャフト
１６  スレッドモータ
１７  排出レバー
１８  誘引レバー
１９  リンク機構
２０  リミットスイッチ
２１  ローディングモータ
２２  ウォームギヤ
２３・２４・２５  ダブルギヤ
２６  ギヤベース
２７  ホルダー
２８  枢支ピン
２９  圧縮コイルバネ
３０  リミットスイッチ
３１  スライダー部材
３２  枢支ピン
３３  引張コイルバネ
３４  ラック主体
３５  レバー部材
３６  ギヤ部材
３７  押圧ピン
３８  ダブルギヤ
３９  ギヤフレーム
４０  作用片
４１  手動イジェクト禁止手段
４２  軸受穴
４３  被駆動部
４４  禁止部
４５  弾性部材
４５Ａ  当接部
４６  リンク機構
Ａ  駆動系ユニット
Ｂ  ヘッドユニット
Ｃ  搬送機構
Ｄ  光ディスク
Ｇ１  ローディングギヤユニット
Ｇ２  ラックギヤユニット
【図１】
2005166165.tif 000003
【図２】
2005166165.tif 000004
【図３】
2005166165.tif 000005
【図４】
2005166165.tif 000006
【図５】
2005166165.tif 000007
【図６】
2005166165.tif 000008
【図７】
2005166165.tif 000009
【図８】
2005166165.tif 000010
【図９】
2005166165.tif 000011
【図１０】
2005166165.tif 000012
【図１１】
2005166165.tif 000013
【図１２】
2005166165.tif 000014
【図１３】
2005166165.tif 000015
【図１４】
2005166165.tif 000016
【図１５】
2005166165.tif 000017
【図１６】
2005166165.tif 000018
【図１７】
2005166165.tif 000019
【図１８】
2005166165.tif 000020
【図１９】
2005166165.tif 000021
【手続補正書】
【提出日】平成16年10月1日(2004.10.1)
【手続補正１】
【補正対象書類名】特許請求の範囲
【補正対象項目名】請求項４
【補正方法】変更
【補正の内容】
【請求項４】
記録媒体の外周側の移動端に前記ヘッド手段が位置せず前記被駆動部が押圧駆動されていないときに、前記禁止部が前記手動イジェクト機構の可動部と前記筐体との間に介在して前記可動部の前記筐体方向への動きを阻止して前記手動イジェクト機構の動作を禁止し、記録媒体の外周側の移動端に移動した前記ヘッド手段により前記被駆動部が押圧駆動されたときに、前記禁止部が前記可動部と前記筐体との間から外れて前記可動部の前記筐体方向への動きを許容し、前記手動イジェクト機構が動作することを特徴とする請求項３記載の記録媒体ドライブ装置。